(57)【要約】      （修正有）【課題】広告表示部の角度を選択的に変更可能にした紙製の広告表示体を提供する。【解決手段】印刷による広告表示が施される広告表示部１と、この広告表示部１を天板等の載置面Ｆに対して起立した状態で支持するための支持部２とを備えて広告表示体Ａを構成する。また、前記支持部２における左右の側壁２２、２３が、スリット状の第一のスリットと、この第一のスリットと異なる位置に設けられたスリット状の第二のスリットとを備え、前記広告表示部１における左右の側板１２、１３が、内向きに突出し前記第一、第二のスリットの何れか一方に選択的に挿通されて係わり合う係止突片１２２、１３２を備えている。【選択図】図２
0003172928.tif 000002
【実用新案登録請求の範囲】
【請求項１】
単一の紙製シートを折り曲げることにより形成されるものであり、印刷による広告表示が施される広告表示部と、この広告表示部を天板等の載置面に対して起立した状態で支持するための支持部とを備えてなる広告表示体であって、
前記広告表示部が、前記広告表示が施されて立設される平板状の表示板本体と、この表示板本体の左右の側縁から後方に向けて延設された左右の側板とを備え、前記支持部が、前記表示板本体の下縁から後方に向けて延設され下面が前記載置面に添設する底壁と、この底壁の左右の側縁から上方に向けて延設された左右の側壁とを備えてなり、
前記支持部における左右の側壁が、スリット状の第一のスリットと、この第一のスリットと異なる位置に設けられたスリット状の第二のスリットとを備え、前記広告表示部における左右の側板が、内向きに突出し前記第一、第二のスリットの何れか一方に選択的に挿通されて係わり合う係止突片を備えてなり、
前記係止突片を前記第一のスリットに係わり合わせた場合と、前記係止突片を前記第二のスリットに係わり合わせた場合とによって前記表示板本体の前記底壁に対する角度を選択的に変更可能に構成したことを特徴とする広告表示体。
【請求項２】
前記表示板本体が前記底壁に対し側面視において７２°の角度で起立するように、前記第一のスリットが前記左右の側壁に形成されており、
前記表示板本体が前記底壁に対して側面視において８２°の角度で起立するように、前記第二のスリットが前記左右の側壁に形成されている請求項１記載の広告表示体。
【請求項３】
前記底壁が、後部を略半円状に切り欠いてなる切欠部を備えている請求項１又は２記載の広告表示体。
【考案の詳細な説明】
【技術分野】
【０００１】
本考案は、単一の紙製シートを折り曲げることにより形成された、いわゆるポップスタンドと称される広告表示体に関する。
【背景技術】
【０００２】
従来から、この種の広告表示体として、印刷による広告表示が施される広告表示部と、この広告表示部を起立した状態で支持するための支持部とを備えてなるものが知られている（例えば特許文献１参照）。
【０００３】
従来のものは、広告表示が施されている広告表示部が、支持部に対して決められた角度で固定されている。このため、従来のものは載置される箇所、例えば、天板や棚等の載置面の高さ位置や、載置面の勾配等により、広告表示を見ようとする者が、広告表示部の広告表示を好ましい角度で見ることができない場合がある。
【先行技術文献】
【特許文献】
【０００４】
【特許文献１】実開平７−５１７８号公報
【考案の概要】
【考案が解決しようとする課題】
【０００５】
本考案は、以上の事情に着目してなされたものであり、主たる目的は広告表示部の角度を選択的に変更可能にした紙製の広告表示体を提供することを目的としている。
【課題を解決するための手段】
【０００６】
すなわち、本考案の次の構成をなすものである。
【０００７】
請求項１に係る考案は、単一の紙製シートを折り曲げることにより形成されるものであり、印刷による広告表示が施される広告表示部と、この広告表示部を天板等の載置面に対して起立した状態で支持するための支持部とを備えてなる広告表示体であって、前記広告表示部が、前記広告表示が施されて立設される平板状の表示板本体と、この表示板本体の左右の側縁から後方に向けて延設された左右の側板とを備え、前記支持部が、前記表示板本体の下縁から後方に向けて延設され下面が前記載置面に添設する底壁と、この底壁の左右の側縁から上方に向けて延設された左右の側壁とを備えてなり、前記支持部における左右の側壁が、スリット状の第一のスリットと、この第一のスリットと異なる位置に設けられたスリット状の第二のスリットとを備え、前記広告表示部における左右の側板が、内向きに突出し前記第一、第二のスリットの何れか一方に選択的に挿通されて係わり合う係止突片を備えてなり、前記係止突片を前記第一のスリットに係わり合わせた場合と、前記係止突片を前記第二のスリットに係わり合わせた場合とによって前記表示板本体の前記底壁に対する角度を選択的に変更可能に構成したものである。
【０００８】
ここで、「載置面」とは、広告表示体が載置される比較的水平な上向き面であり、例えば、机、テーブル、棚、保管庫などの家具における天板の面や、床面などが該当する。
【０００９】
請求項２に係る考案は、請求項１に係る構成において、前記表示板本体が前記底壁に対し側面視において７２°の角度で起立するように、前記第一のスリットが前記左右の側壁に形成されており、前記表示板本体が前記底壁に対して側面視において８２°の角度で起立するように、前記第二のスリットが前記左右の側壁に形成されているものである。
【００１０】
請求項３に係る考案は、請求項１又は２に係る構成において、前記底壁が、後部を略半円状に切り欠いてなる切欠部を備えているものである。
【考案の効果】
【００１１】
以上説明したように本考案によれば、広告表示部の角度を選択的に変更可能にした紙製の広告表示体を提供することができる。
【図面の簡単な説明】
【００１２】
【図１】本考案の一実施形態を示す前方斜視図。
【図２】同実施形態における後方斜視図。
【図３】同実施形態における左側面図。
【図４】同実施形態における左側面図。
【図５】本実施形態における広告表示体の展開図。
【図６】他の実施形態における広告表示体の斜視図。
【考案を実施するための形態】
【００１３】
以下、本考案の一実施形態を、図１〜図５を参照して説明する。なお、前後上下左右などの位置関係は、組立完了状態（例えば、図１〜図４を参照）を基準にして説明することとする。
【００１４】
この実施形態は、本考案である広告表示体を、天板等の載置面Ｆに載置されて商品の購買促進に用いられるポップ（ＰＯＰ）スタンドＡに適用した場合のものである。
【００１５】
ポップスタンドＡは、その全体を、図５に示されるような所定の形状に切り抜かれてなる単一（１枚）の紙製シートＰを複数箇所で所定の方向に折り曲げたり、所定の部材同士を係わり合わせて組み付けたりすることにより形成される。また、本実施形態のポップスタンドＡは、糊等の接着剤を一切使用することなく作られるものである。紙製シートＰは、両面に印刷による広告表示Ｒを有しているものであり、任意に両面ないし片面に適宜の印刷を施すことができるようになっている。以下、詳述する。
【００１６】
このポップスタンドＡは、左右対称形状のもので、単一の紙製シートＰを折り曲げることにより形成されるものであり、印刷によるポップ（ＰＯＰ）たる広告表示Ｒが施される広告表示部１と、この広告表示部１を天板等の載置面Ｆに対して起立した状態で支持するための支持部２とを備えてなる。
【００１７】
広告表示部１は、前方に臨む表面１１ａと後方に臨む裏面１１ｂとを有し、広告表示Ｒが施されて立設される矩形平板状の表示板本体１１と、表示板本体１１の左右の側縁ｈ１、ｈ２から後方に向けて連続して延設された左右の側板１２、１３とを備えている。なお、図１では、表示板本体１１の表面１１ａに広告表示Ｒを付したものを示している。
【００１８】
本実施形態に示される表示板本体１１は、所定の厚みを有したもので、縦寸法が２９７ｍｍ、横寸法が２１０ｍｍに設定されており、遠方からも視認可能な比較的大型のものとなっている。なお、寸法の設定はあくまで一例であり、適宜のものに設定できるのはもちろんのことである。
【００１９】
左右の側板１２、１３は、表示板本体１１における左右の側縁ｈ１、ｈ２と一致する箇所である前縁ｂ１、ｃ１と後縁ｂ２、ｃ２とを略平行にした横向き台形形状をなす左右の側板本体１２１、１３１と、これら左右の側板本体１２１、１３１の下縁ｂ３、ｃ３の後部から連続して延設される舌片状の係止突片１２２、１３２を備えている。
【００２０】
左右の側板本体１２１、１３１は、台形平板状のもので、下側前方の角部分の角度α、α’、すなわち、左右の側板本体１２１、１３１の前縁ｂ１、ｃ１の線と、下縁ｂ３、ｃ３の線とによって形成される下側前方の角部分の角度α、α’は７２°に設定されている。
【００２１】
左右の側板１２、１３の係止突片１２２、１３２は、側板本体１２１、１３１に対して略９０°の角度で内向きに突出する略台形形状をなすものであり、後述するように、支持部２の左右の側壁２２、２３に形成されたスリット状の第一のスリットＬ１ｓ、Ｌ１ｒ、又は、第二のスリットＬ２ｓ、Ｌ２ｒの何れか一方に選択的に挿通されて係わり合うものである。
【００２２】
支持部２は、表示板本体１１の下縁ｈ３から後方に向けて連続して延設され下面２１ａが載置面Ｆに添設する底壁２１と、この底壁２１の左右の側縁ｄ１、ｄ２から上方に向けて連続して延設された左右の側壁２２、２３とを備えている。
【００２３】
底壁２１は、後部に凹み部分を有した凹形状をなす平板状のもので、下面２１ａが載置面Ｆに添設するようになっている。すなわち、底壁２１は、後部を略半円状に切り欠いてなる切欠部２１１を備えている。なお、本実施形態の切欠部２１１の曲線は半径７０ｍｍに設定されている。この切欠部２１１は、底壁２１の撓みを是正して下面２１ａを好適に載置面Ｆに接することに供するものである。
【００２４】
左右の側壁２２、２３は、底壁２１の左右の側縁ｄ１、ｄ２に一致する箇所である下縁ｅ２、ｆ２と上縁ｅ１、ｆ１とを略平行にした略台形形状をなす平板状のものである。左右の側壁２２、２３にはそれぞれ２箇所の位置にスリットＬ１ｓ、Ｌ１ｒ、Ｌ２ｓ、Ｌ２ｒが形成されている。すなわち、左右の側壁２２、２３は、前記係止突片１２２、１３２の基端部１２２ａ、１３２ａの幅寸法に略一致した長手方向の幅寸法を有したスリット状の第一のスリットＬ１ｓ、Ｌ１ｒと、第一のスリットＬ１ｓ、Ｌ１ｒと異なる位置に設けられたスリット状の第二のスリットＬ２ｓ、Ｌ２ｒとを備えている。第二のスリットＬ２ｓ、Ｌ２ｒも、第一のスリットＬ１ｓ、Ｌ１ｒと同様に、前記係止突片１２２、１３２の基端部１２２ａ、１３２ａの幅寸法に略一致した長手方向の幅寸法を有している。しかして、第一のスリットＬ１ｓ、Ｌ１ｒは、左右の側壁２２、２３の下縁ｅ２、ｆ２に略一致する位置、すなわち、底壁２１と水平に形成されており、第二のスリットＬ２ｓ、Ｌ２ｒは、図２、図３、図４及び図５に示すように、第一のスリットＬ１ｓ、Ｌ１ｒの形成されている位置よりも上の位置に第一のスリットＬ１ｓ、Ｌ１ｒに対して１０°（図中の符号β、β’の角度は、１０°である）傾斜して形成されている。換言すると、このポップスタンドＡは、図３に示すように、表示板本体１１が底壁２１に対し側面視において７２°の角度で起立するように、第一のスリットＬ１ｓ、Ｌ１ｒが左右の側壁２２、２３に形成されているとともに、図４に示すように、表示板本体１１が底壁２１に対して側面視において８２°の角度で起立するように、第二のスリットＬ２ｓ、Ｌ２ｒが左右の側壁２２、２３に形成されている。つまり、このポップスタンドＡは、係止突片１２２、１３２を第一のスリットＬ１ｓ、Ｌ１ｒに係わり合わせた場合と、係止突片１２２、１３２を第二のスリットＬ２ｓ、Ｌ２ｒに係わり合わせた場合とによって表示板本体１１の底壁２１に対する角度を７２°と８２°とに選択的に変更可能に構成している。
【００２５】
なお、図１及び図２はポップスタンドＡの斜視図であり、図３及び図４は本実施形態であるポップスタンドＡの左側面図である。そして、図１、図２及び図３では、広告表示部１における左右の側板１２、１３の係止突片１２２、１３２を、支持部２の左右の側壁２２、２３に形成された第一のスリットＬ１ｓ、Ｌ１ｒに係わり合わせた場合のポップスタンドＡを示しており、図４では、広告表示部１における左右の側板１２、１３の係止突片１２２、１３２を、支持部２の左右の側壁２２、２３に形成された第二のスリットＬ２ｓ、Ｌ２ｒに係わり合わせた場合のポップスタンドＡを示している。
【００２６】
ところで、図５に示すように、用紙内におけるポップスタンドＡを形成する部分（紙製シートＰ）は、所定の用紙サイズに効率的に収まるように寸法設定される。例えば、菊判サイズとして「菊４切」を採用する場合には、切除される不要部分が多く発生しないようにするため、全体のバランスを失わない範囲でできるだけ菊４切内に大きく設定される。このようにすれば、所望の面積を有した広告表示部１の表示板本体１１を得るために、従来必要とされていた用紙サイズよりも小さな用紙サイズを採用することが可能となるのみならず、不要部分の発生を極力少なくして廃棄コストの削減に寄与し、環境等にも配慮したものとなる。
【００２７】
また、以上の構成をなすポップスタンドＡを形成する紙製シートＰに対しては適宜の印刷を施すことができ、一般的に多枚数を纏めて印刷するのに用いられるいわゆるオフセット印刷と称される印刷方式の他、１枚のみの印刷にも柔軟に対応可能ないわゆるオンデマンド印刷と称される印刷方式が用いられる。また、一般に矩形をなした所定サイズに規格化された印刷用の紙製用紙から、所望の形状を有したポップスタンドＡを形成する部分を切り抜くための方策としては、一般的なプレス式の裁断装置等を用いて複数枚を纏めて切断する方式のみに限られず、カッティング装置を用いて１枚だけを切断する方式も採用することができる。このため、本実施形態に係るポップスタンドＡを得るために、オンデマンド印刷の印刷方式と、カッティング装置による切断の方式とを組み合わせて利用することができ、少数の要望に対しても柔軟に対応することができるようになっている。
【００２８】
以上、詳述したように、本実施形態に係るポップスタンドＡは、広告表示部１に設けられた係止突片１２２、１３２を、支持部２に形成された第一のスリットＬ１ｓ、Ｌ１ｒに係わり合わせた場合と、広告表示部１に設けられた係止突片１２２、１３２を、支持部２に形成された第二のスリットＬ２ｓ、Ｌ２ｒに係わり合わせた場合とによって表示板本体１１の底壁２１に対する角度を選択的に変更可能に構成しているものであるので、載置される箇所の高さ位置等の状況に応じて、広告表示Ｒを見る者に適した角度に調整し易いものとなっている。このため、購買を喚起するための広告表示Ｒの視認性を高めることに寄与し、効果的なポップスタンドＡを実現することができる。
【００２９】
なお、本考案は、以上に詳述した実施形態に限られるものではない。
【００３０】
表示板本体１１の形状は、上述した実施形態に示したもの以外にも、種々の形状にしてもよいのはもちろんのことである。
【００３１】
例えば、図６に示すようなものが考えられる。なお、図６においては、上述した最初の実施形態に用いた符号の頭にＢを付したうえで、同一又は対応する部分には同一符号を付して説明を省略することとする。図６に示すものは、表示板本体Ｂ１１の上縁部分を、広告表示ＢＲの形状に沿わせて切除することにより、凹凸形状をなすように形成している。換言すれば、表示板本体Ｂ１１の形状は、定型的な矩形形状の他、強度を損ねない範囲でどのような形状にしてもよい。このようなものであれば、ポップスタンドＢＡに接する者の注意を惹きつけることができるものとなる。なお、このような表示板本体Ｂ１１を有した紙製シートの切除は、前述したカッティング装置を用いることにより、極めて柔軟に行うことができる。
【００３２】
その他、各部の具体的構成についても上記実施形態に限られるものではなく、本考案の趣旨を逸脱しない範囲で種々変形が可能である。
【符号の説明】
【００３３】
１…広告表示部
２…支持部
１１…表示板本体
１２…左の側板
１３…右の側板
２１…底壁
２２…左の側壁
２３…右の側壁
Ｒ…広告表示
Ｆ…載置面
【図１】
0003172928.tif 000003
【図２】
0003172928.tif 000004
【図３】
0003172928.tif 000005
【図４】
0003172928.tif 000006
【図５】
0003172928.tif 000007
【図６】
0003172928.tif 000008